(57)【要約】【課題】従来の網戸では、網を通して空気が流通するので、この空気の流れによって小さな花粉や騒音が侵入し、これらの花粉や騒音に対して何ら対策は取られていないのが現状である。【解決手段】外枠１の内側を複数に分割してそれぞれ図２に示すように六角形の内枠２を構成し、これらの六角形の内枠２にそれぞれ網３を張り、この網３の片面のほぼ中心に超音波振動子４を装着し、制御装置を駆動して、超音波振動子４のそれぞれに発振器から発振出力を印加する。【選択図】        図１
2004293108.tif 000002
【特許請求の範囲】
【請求項１】
外枠の内側に細かく分割した内枠を装着し、前記内枠のそれぞれに網を張り、該網のそれぞれに超音波振動子を固着し、該超音波振動子のそれぞれに発振器から発振出力を印加して虫の侵入を防ぐとともに花粉等を凝縮除去することを特徴とする超音波網戸装置。
【請求項２】
前記内枠は四角形以上の多角形で構成されることを特徴とする請求項１記載の超音波網戸装置。
【請求項３】
前記超音波振動子は前記網を張られた前記内枠のそれぞれに装着することを特徴とする請求項１記載の超音波網戸装置。
【請求項４】
マイクロホンで外部の騒音の周波数及びレベルを検知し、該検知した騒音信号の逆位相の信号を前記超音波振動子に印加して、室内への騒音の侵入を防ぐことを特徴とする請求項１記載の超音波網戸装置。
【請求項５】
前記外部の騒音の周波数及びレベルを前記超音波振動子で検知し、それぞれの超音波振動子で検知した騒音の信号の逆位相の信号をそれぞれの超音波振動子に印加することを特徴とする請求項１記載の超音波網戸装置。
【発明の詳細な説明】
【０００１】
【発明が属する技術分野】
本発明は、家庭用の網戸に超音波振動子を装着し、この超音波振動子で網戸の網を振動して花粉及び騒音を防止するようにした超音波網戸装置に関するものである。
【０００２】
【従来の技術】
従来、家庭用の網戸は、枠体に網を張り、この網を張った枠体をガラス戸の外側に装着し、ガラス戸を開けた時に、昆虫やある程度の小さな虫が侵入するのを防ぐように構成している。
【０００３】
【発明が解決しようとする課題】
従って、このように構成した網戸では、網を通して空気が流通するので、この空気の流れによって小さな花粉や騒音が侵入し、これらの花粉や騒音に対して何ら対策は取られていないのが現状である。
【０００４】
【課題を解決しようとする手段】
本発明は、外枠の内側に細かく分割した内枠を装着し、前記内枠のそれぞれに網を張り、該網のそれぞれに超音波振動子を固着し、該超音波振動子のそれぞれに発振器から発振出力を印加して虫の侵入を防ぐとともに花粉等を凝縮除去するものであり、又、前記内枠は四角形以上の多角形で構成されるものであり、さらに、前記超音波振動子は前記網を張られた前記内枠のそれぞれに装着するものであり、又、マイクロホンで外部の騒音の周波数及びレベルを検知し、該検知した騒音信号の逆位相の信号を前記超音波振動子に印加して、室内への騒音の侵入を防ぐものであり、さらに、前記外部の騒音の周波数及びレベルを前記超音波振動子で検知し、それぞれの超音波振動子で検知した騒音の信号の逆位相の信号をそれぞれの超音波振動子に印加するものである。
【０００５】
【発明の実施の形態】
本発明は、外枠の内側にそれぞれ分割された内枠を装着し、この内枠のそれぞれに張り付けた網に超音波振動子を装着し、この超音波振動子のそれぞれに発振器から発振出力を印加することにより、網を超音波振動させて網から侵入する虫の侵入を防ぎ、又、花粉等を凝縮除去するようにし、さらに、マイクロホンで外部の騒音を検知して、この騒音信号の逆信号を超音波振動子に印加して、外部からの騒音の侵入を防ぎ、又、マイクロホンの代わりに超音波振動子で外部の騒音を検知し、検知した騒音による信号の逆信号を騒音を検知した超音波振動子に印加して外部の騒音の侵入を防ぐようにする。
【０００６】
【実施例】
図１は本発明の実施例の超音波網戸装置の網戸の構成図、図２は図１の超音波網戸装置の内枠の構成図、図３は図１の超音波網戸のブロック図で、外枠１の内側を複数に分割してそれぞれ図２に示すように六角形の内枠２を構成し、これらの六角形の内枠２にそれぞれ網３を張り、この網３の片面のほぼ中心に超音波振動子４を装着し、図３に示すように制御装置５を駆動して、超音波振動子４のそれぞれに発振器６から発振出力を印加する。
【０００７】
このように構成した本実施例の超音波網戸装置では、発振器６から超音波振動子４に発振出力を印加することにより、六角形の内枠２のほぼ中心に装着した超音波振動子４から超音波振動が網３に一様に広がって振動することにより、網３を通過する花粉等はその振動によって網３に付着して振動することにより凝縮されるので、網３から内部に侵入することがなく、この網３で凝縮された花粉等は電気掃除機等で除去することにより、簡単に除去することができる。
【０００８】
なお、前記実施例では、内枠２は六角形に構成したが、図４に示すように、内枠を正方形に構成してもよいし、又、図５に示すように、内枠２の枠に装着してもよい。
【０００９】
図６は本発明の他の実施例子の超音波網戸装置のブロック図で、４は超音波振動子、５は制御装置、６は発振器で、これらの構成は上記実施例と同じであるので説明は省略するが、本実施例では、マイクロホン７で外部の騒音を検知し、この検知された騒音信号を制御装置５に入力することにより、位相を反転して、発振器６に入力することにより、発振器６から騒音信号と位相が逆の発振出力が超音波振動子４に入力されるので、網戸２から侵入しようとする騒音の逆位相の信号で網戸２が振動され、従って、網戸２から侵入しようとする騒音を打ち消して、騒音の侵入を防ぐことができる。
【００１０】
なお、上記実施例では、マイクロホン７で騒音を検知するようにしたが、超音波振動子４で騒音を検知し、超音波振動子４で検知した騒音信号を制御装置５で逆位相の信号に変換して、超音波振動子４に入力することを短時間で交互に繰り返すことにより、網戸２から侵入しようとする騒音を打ち消して、騒音の侵入を防ぐことができる。
【００１１】
【発明の効果】
以上説明したように、本発明の超音波網戸装置では、外枠の内側にそれぞれ分割された内枠を装着し、この内枠のそれぞれに張り付けた網に超音波振動子を装着し、この超音波振動子のそれぞれに発振器から発振出力を印加することにより、網を超音波振動させて網から侵入する虫の侵入を防ぎ、又、花粉等を凝縮除去するようにし、さらに、マイクロホンで外部の騒音を検知して、この騒音信号の逆信号を超音波振動子に印加して、外部からの騒音の侵入を防ぎ、又、マイクロホンの代わりに超音波振動子で外部の騒音を検知し、検知した騒音による信号の逆信号を騒音を検知した超音波振動子に印加して外部の騒音の侵入を防ぐようにするという利点がある。
【図面の簡単な説明】
【図１】本発明の実施例の超音波網戸装置の構成図である。
【図２】図１の超音波網戸装置の内枠の構成図である。
【図３】図１の超音波網戸のブロック図である。
【図４】本発明の他の実施例の超音波網戸装置の内枠の構成である。
【図５】本発明のさらに他の実施例の超音波網戸装置の内枠の構成である。
【図６】本発明の他の実施例子の超音波網戸装置のブロック図である。
【符号の説明】
１          外枠
２          内枠
３          網
４          超音波振動子
５          制御装置
６          発振器
７          マイクロホン
【図１】
2004293108.tif 000003
【図２】
2004293108.tif 000004
【図３】
2004293108.tif 000005
【図４】
2004293108.tif 000006
【図５】
2004293108.tif 000007
【図６】
2004293108.tif 000008